(57)【要約】【課題】オーディオ信号の再生効果をさらに人間工学的にすることができる通信装置及び前記通信装置による再生方法を提供すること。【解決手段】本発明に係る通信装置は、複数の表示エリアを備える電子装置と通信することができる。電子装置の各表示エリアは、１つのオーディオ信号に対応し、通信装置は、通信モジュールと、選択モジュールと、入力モジュールと、オーディオ再生モジュールと、を含み、通信モジュールは、電子装置と通信を確立するために用いられ、選択モジュールは、入力モジュールを介して入力された選択信号に基づいて、複数の表示エリアから１つの表示エリアを選択して目標エリアとし、また、通信モジュールは、選択された目標エリアに基づいて、電子装置の前記目標エリアに対応するオーディオ信号を受信するためにも用いられ、オーディオ再生モジュールは、受信したオーディオ信号を再生するために用いられる。【選択図】図３
2014128029.tif 000002
【特許請求の範囲】
【請求項１】
複数の表示エリアを備える電子装置と通信することができる通信装置であって、
前記電子装置の各表示エリアは、１つのオーディオ信号にそれぞれ対応し、前記通信装置は、通信モジュールと、選択モジュールと、入力モジュールと、オーディオ再生モジュールと、を含み、前記通信モジュールは、前記電子装置と通信を確立するために用いられ、前記選択モジュールは、前記入力モジュールを介して入力された選択信号に基づいて、前記複数の表示エリアから１つの表示エリアを選択して目標エリアとし、
前記通信モジュールは、選択された目標エリアに基づいて、前記電子装置の前記目標エリアに対応するオーディオ信号を受信するためにも用いられ、前記オーディオ再生モジュールは、受信したオーディオ信号を再生するために用いられる
ことを特徴とする通信装置。
【請求項２】
前記通信装置は検出モジュール及び調節モジュールをさらに備え、前記入力モジュールは異なる調節指令を入力するためにも用いられ、前記調節指令はオーディオ調節指令を含み、前記オーディオ調節指令は目標言語を含み、
前記検出モジュールが前記オーディオ調節指令を検出し、且つ既に受信したオーディオ信号の中に前記目標言語が存在していることを検出すると、前記調節モジュールは、前記オーディオ調節指令に基づいて受信したオーディオ信号の再生言語を前記目標言語に変換し、
前記検出モジュールが前記オーディオ調節指令を検出し、且つ既に受信したオーディオ信号の中に前記目標言語が存在していないことを検出すると、前記調節モジュールは、前記通信装置を介してオンライン翻訳を行って、受信したオーディオ信号の再生言語を前記目標言語に変換する
ことを特徴とする請求項１に記載の通信装置。
【請求項３】
前記通信装置は、検出モジュール及び調節モジュールをさらに備え、前記入力モジュールは異なる調節指令を入力するためにも用いられ、前記調節指令は画面調節指令を含み、
前記検出モジュールが前記画面調節指令を検出すると、前記調節モジュールは、前記目標エリアの表示画面を調節し、前記画面調節指令は、画面の色、明るさ及び白黒階調の調節値を含むことを特徴とする請求項１に記載の通信装置。
【請求項４】
前記通信装置は、検出モジュール及び調節モジュールをさらに備え、前記入力モジュールは異なる調節指令を入力するためにも用いられ、前記調節指令は画面切換指令を含み、
前記検出モジュールが前記画面切換指令を検出すると、前記調節モジュールは、前記電子装置の前記目標エリアにおいて前記通信装置の調節用インタフェースを表示する
ことを特徴とする請求項１に記載の通信装置。
【請求項５】
通信装置を介して電子装置のオーディオ信号を再生する再生方法であって、
前記電子装置は、複数の表示エリアを備え、前記複数の表示エリアは、それぞれ１つのオーディオ信号にそれぞれ対応し、前記通信装置は、入力モジュールを備え、前記再生方法は、
前記通信装置と前記電子装置との通信を確立するステップと、
前記入力モジュールにより入力された選択信号に基づいて、前記電子装置から１つの表示エリアを選択して目標エリアとするステップと、
前記電子装置の前記目標エリアに対応するオーディオ信号を受信するステップと、
受信したオーディオ信号を再生するステップと、
を備えることを特徴とする再生方法。
【請求項６】
受信したオーディオ信号を再生した後に、ユーザがオーディオ調節指令、画面調節指令或いは画面切換指令を入力したかどうかを検出するステップをさらに備え、
前記オーディオ調節指令を受信すると、受信したオーディオ信号が目標言語を含むかどうかを検出し、
受信したオーディオ信号が前記目標言語を含む場合、前記受信したオーディオ信号の再生言語を前記目標言語に変換し、
また、前記受信したオーディオ信号が前記目標言語を含まない場合、前記通信装置を介してオンライン翻訳を行って、前記受信したオーディオ信号の再生言語を前記目標言語に変換することを特徴とする請求項５に記載の再生方法。
【請求項７】
前記画面調節指令を検出すると、前記目標エリアの表示画面を調節し、前記画面調節指令は、画面の色、明るさ及び白黒階調の調節値を含むことを特徴とする請求項６に記載の再生方法。
【請求項８】
前記画面切換指令を検出すると、前記電子装置の前記目標エリアにおいて前記通信装置の調節用インタフェースを表示することを特徴とする請求項６に記載の再生方法。
【発明の詳細な説明】
【技術分野】
【０００１】
本発明は、通信装置及びその再生方法に関するものである。
【背景技術】
【０００２】
科学技術の発展に伴って、テレビのサイズは益々大きくなり、且つ複数の異なるチャンネルの画面を同時に表示できるようになった。テレビが複数のチャンネルの画面を同時に表示する場合、前記テレビは、１つのみの画面に対応するオーディオを再生するか、又はあらゆる画面に対応するオーディオを同時に再生する。あらゆる画面に対応するオーディオを同時に再生する際、観賞者は、テレビを見る時に、見たい画面に対応する音声を聴取できない。つまり、他の画面の音声により妨害されて、はっきり聞き取れない。従って、既存のテレビの表示効果は、人間工学的に満たされていない。
【発明の概要】
【発明が解決しようとする課題】
【０００３】
そこで、本発明は上記の問題点を考慮した上で、オーディオ信号の再生効果をさらに人間工学的にすることができる通信装置及び前記通信装置による再生方法を提供することを目的とする。
【課題を解決するための手段】
【０００４】
上記の目的を達成するために、本発明に係る通信装置は、複数の表示エリアを備える電子装置と通信することができる。前記電子装置の各表示エリアは、１つのオーディオ信号に対応し、前記通信装置は、通信モジュールと、選択モジュールと、入力モジュールと、オーディオ再生モジュールと、を含み、前記通信モジュールは、前記電子装置と通信を確立するために用いられ、前記選択モジュールは、前記入力モジュールを介して入力された選択信号に基づいて、前記複数の表示エリアから１つの表示エリアを選択して目標エリアとし、また、前記通信モジュールは、選択された目標エリアに基づいて、前記電子装置の前記目標エリアに対応するオーディオ信号を受信するためにも用いられ、前記オーディオ再生モジュールは、受信したオーディオ信号を再生するために用いられる。
【０００５】
上記の目的を達成するために、本発明に係る通信装置を利用して、電子装置のオーディオ信号を調節する再生方法において、前記電子装置は、複数の表示エリアを備える。前記複数の表示エリアは、それぞれ１つのオーディオ信号にそれぞれ対応し、前記通信装置は、入力モジュールを備え、前記再生方法は、前記通信装置と前記電子装置との通信を確立するステップと、前記入力モジュールにより入力された選択信号に基づいて、前記電子装置から１つの表示エリアを選択して目標エリアとするステップと、前記電子装置の前記目標エリアに対応するオーディオ信号を受信するステップと、受信したオーディオ信号を再生するステップと、を備える。
【発明の効果】
【０００６】
従来の技術と異なり、本発明の通信装置によって、ユーザは自身の必要に応じて、通信装置を介して、複数の表示エリアの中の１つのオーディオ信号を選択して聴取でき、且つこの時、他のテレビ番組のオーディオ信号により妨害されない。
【図面の簡単な説明】
【０００７】
【図１】本発明の実施形態に係る通信装置の機能モジュールを示すブロック図である。
【図２】本発明の実施形態に係る電子装置と通信装置との接続関係を示す図である。
【図３】本発明の通信装置で電子装置の表示パネルのインタフェースを調節する過程を示す図である。
【図４】本発明の実施形態に係る再生方法のフローチャートである。
【発明を実施するための形態】
【０００８】
図１及び図２に示すように、本発明の通信装置１０は、電子装置２０と通信することができる。電子装置２０は、異なる画面を表示するための複数の表示エリア２１を備える。各表示エリア２１は、１つのオーディオ信号にそれぞれ対応している。本実施形態において、通信装置１０は携帯電話機であり、電子装置２０はテレビである。各表示エリア２１は、異なるテレビ番組を表示することができる。通信装置１０と電子装置２０とは、無線方式を介してデータの伝送を行う。
【０００９】
なお、変形例として、通信装置１０は、リモコンであっても良い。電子装置２０は、モニター或いは屋外ＬＥＤディスプレイであっても良い。また、通信装置１０は、有線方式を介して電子装置２０とデータを交換することも可能である。
【００１０】
具体的には、通信装置１０は、通信モジュール１１と、入力モジュール１２と、選択モジュール１３と、オーディオ再生モジュール１４と、検出モジュール１５と、調節モジュール１６と、を備える。
【００１１】
通信モジュール１１は、電子装置２０と通信を確立するために用いられる。本実施形態において、ユーザが入力モジュール１２上のある特定のボタンを押圧すると、通信モジュール１１と電子装置２０との通信が確立される。勿論、他の実施形態において、他の方式によって通信モジュール１１を起動させて、通信モジュール１１と電子装置２０とを通信させることも可能である。
【００１２】
入力モジュール１２は、ユーザの操作に応じて対応する操作信号を生成する。当該操作信号は、選択信号及び調節信号を含む。入力モジュール１２が生成した操作信号が調節信号である場合、通信装置１０は、電子装置２０に対して複数の異なる調節指令に対応する調節用インタフェース（複数のメニューを含む、図３を参照）を伝送し、電子装置２０によりこれらの調節用インタフェースを表示させ、且つユーザの選択或いは操作に基づいて対応する調節指令を出力する。
【００１３】
前記調節指令は、オーディオ調節指令、画面調節指令及び画面切換指令を含む。中でも、オーディオ調節指令は、目標言語を備え、オーディオ信号の再生言語を調節することに用いられる。画面調節指令は、画面の色、明るさ及び白黒階調の調節値を含む。本実施形態において、前記調節用インタフェースは、ＯＳＤ（ｏｎ  ｓｃｒｅｅｎ  ｄｉｓｐｌａｙ）の形式によって目標エリアの表示画面と同時に表示されるか、又は前記目標エリアの表示画面を覆うように表示される。また、他の実施形態において、前記調節用インタフェースは、通信装置１０の表示エリア内に表示されることも可能である。
【００１４】
選択モジュール１３は、選択信号に応答して、電子装置２０における複数の表示エリア２１の中の１つを選択して、それを目標エリアとする。また、通信モジュール１１は、電子装置２０から前記目標エリアに対応するオーディオ信号を受信するためにも用いられる。
【００１５】
オーディオ再生モジュール１４は、受信したオーディオ信号を再生するために用いられる。これにより、通信装置１０側のユーザは、通信装置１０を介して選択したテレビ番組に対応するオーディオ信号のみを聴取し、他のテレビ番組のオーディオ信号からの干渉を受けない。本実施形態において、オーディオ再生モジュール１４は、イヤホンである。
【００１６】
検出モジュール１５は、オーディオ／画面の調節指令、又は画面切換指令が入力されたかどうかを検知し、且つ検知した指令を調節モジュール１６へ出力する。検出モジュール１５がオーディオ調節指令を検出すると、検出モジュール１５は既に受信したオーディオ信号の中に目標言語が存在するかどうかをさらに検出する。受信したオーディオ信号が目標言語を含む場合、通信装置１０は第一オーディオ調節指令を出力する。これとは逆に、受信したオーディオ信号が目標言語を含まない場合、通信装置１０は第一オーディオ調節指令を出力する。
【００１７】
調節モジュール１６は、第一オーディオ調節指令を受信すると、受信したオーディオ信号の再生言語を目標言語に変換する。また、調節モジュール１６は、第二オーディオ調節指令を受信すると、通信装置１０を介してオンライン翻訳を行って、受信したオーディオ信号の再生言語を目標言語に変換する。調節モジュール１６は、画面調節指令を受信すると、目標エリアの表示画面を調節する。また、調節モジュール１６は、画面切換指令を受信すると、電子装置２０の目標エリアにおいて通信装置１０の調節用インタフェースを表示する。通信装置１０の調節用インタフェースが電子装置２０により表示されると、ユーザはインターネットにアクセスすることができる。例えば、ネットページをブラウズしたり、オンラインによってビデオ等を見たりすることができる。
【００１８】
図４に示すように、本発明の実施形態に係る通信装置の再生方法は、通信装置１０を利用して、当該通信装置１０と電気的な接続関係を確立した電子装置２０内のオーディオ信号を調節する。前記電子装置２０は、異なる画面を表示するための複数の表示エリア２１を備える。各表示エリア２１は、１つのオーディオ信号にそれぞれ対応している。本実施形態において、通信装置１０は携帯電話機であり、電子装置２０はテレビであり、各表示エリア２１は異なるテレビ番組を表示する。通信装置１０と電子装置２０とは、無線方式を介してデータ伝送を行う。なお、電子装置２０は、モニター或いは屋外ＬＥＤディスプレイであることができる。通信装置１０は、有線方式を介して電子装置２０とデータを交換することも可能である。
【００１９】
本発明の実施形態に係る通信装置の再生方法は、以下のステップＳ２０１〜Ｓ２１０を含む。
【００２０】
ステップＳ２０１において、通信装置１０は、複数の表示エリアを備える電子装置２０と通信を確立する。
【００２１】
ステップＳ２０２において、電子装置２０から１つの表示エリア２１を選択して、それを目標エリアとする。本実施形態において、通信装置１０は、入力モジュール１２からの選択信号によって、電子装置２０の中の１つの表示エリア２１を選択して目標エリアとする。
【００２２】
ステップＳ２０３において、電子装置２０における前記目標エリアに対応するオーディオ信号を受信する。
【００２３】
ステップＳ２０４において、受信したオーディオ信号を再生する。これにより、通信装置１０側のユーザは、通信装置１０を介して選択したテレビ番組に対応するオーディオ信号のみを聴取し、他のテレビ番組のオーディオ信号からの干渉を受けない。本実施形態において、通信装置１０は、イヤホンを介してオーディオ信号を再生する。
【００２４】
ステップＳ２０５において、ユーザが入力モジュール１２を介して、オーディオ／画面の調節指令、又は画面切換指令を入力されたかどうかを検出する。オーディオ調節指令を検出した場合、下記のステップＳ２０６に移る。画面調節指令を検出した場合、下記のステップＳ２０９に移る。画面切換指令を検出した場合、下記のステップＳ２１０に移る。
【００２５】
ステップＳ２０６において、受信したオーディオ信号が目標言語を含むかどうかを検出する。受信したオーディオ信号が目標言語を含む場合、下記のステップＳ２０７に移る。受信したオーディオ信号が目標言語を含まない場合、下記のステップＳ２０８に移る。
【００２６】
ステップＳ２０７において、オーディオ調節指令に基づいて、既に受信したオーディオ信号の再生言語を目標言語に変換する。
【００２７】
ステップＳ２０８において、通信装置を介してオンライン翻訳を行って、既に受信したオーディオ信号の再生言語を目標言語に変換する。
【００２８】
ステップＳ２０９において、受信した画面調節指令に基づいて、前記目標エリアの表示画面を調節する。前記画面調節指令は、画面の色、明るさ及び白黒階調の調節値を含む。
【００２９】
ステップＳ２１０において、受信した画面切換指令に基づいて、電子装置２０の目標エリアにおいて通信装置１０の調節用インタフェースを表示する。
【符号の説明】
【００３０】
１０  通信装置
１１  通信モジュール
１２  入力モジュール
１３  選択モジュール
１４  オーディオ再生モジュール
１５  検出モジュール
１６  調節モジュール
２０  電子装置
２１  表示エリア
【図１】
2014128029.tif 000003
【図２】
2014128029.tif 000004
【図３】
2014128029.tif 000005
【図４】
2014128029.tif 000006